(57)【要約】【課題】、先に入力される原稿の読み取り指示が終了するまで画像読取装置の前でユーザーが待機しなくとも、ユーザー所望の読取設定で原稿の読み取りを行うことを可能とする。【解決手段】画像読取装置は、原稿搬送部と、読取部と、判定部と、動作制御部と、読取指示要求部と、読取指示受付部とを備える。判定部は、原稿が通信対象の情報処理装置を特定するための識別情報が示された特定原稿であるか否かを判定する。読取指示要求部は、特定原稿に示される識別情報により特定される情報処理装置との間で通信を行い、情報処理装置に対して原稿の読み取りに関する指示を要求する。動作制御部は、読取指示受付部が原稿の読み取りに関する指示を受け付けた場合に、特定原稿の直後の原稿から次の特定原稿の直前の原稿まで原稿の読み取りに関する指示に示される読取設定で読取部に原稿を読み取らせて画像データを生成させる。【選択図】図９
2016012753.tif 000002
【特許請求の範囲】
【請求項１】
原稿載置台に載置された複数枚の原稿を１枚ずつ搬送する原稿搬送部と、
前記原稿搬送部により搬送された原稿を読み取って画像データを生成する読取部と、
前記読取部により読み取られた原稿が、通信対象の情報処理装置をネットワーク上において特定するための識別情報が示された特定原稿であるか否かを判定する判定部と、
前記原稿搬送部による原稿搬送動作および前記読取部による原稿読取動作を制御する動作制御部であって、前記判定部が前記読取部により読み取られた原稿が前記特定原稿であると判定した場合に、前記原稿搬送部による原稿搬送動作および前記読取部による原稿読取動作を停止させる動作制御部と、
前記判定部が前記読取部により読み取られた原稿が前記特定原稿であると判定した場合に、当該特定原稿に示される識別情報により特定される情報処理装置との間で通信を行い、当該情報処理装置に対して原稿の読み取りに関する指示を要求する読取指示要求部と、
前記情報処理装置から送信された前記原稿の読み取りに関する指示を受け付ける読取指示受付部とを備え、
前記動作制御部は、前記読取指示受付部が前記原稿の読み取りに関する指示を受け付けた場合に、前記原稿搬送部による原稿搬送動作および前記読取部による原稿読取動作を再開させ、前記判定部が前記特定原稿であると判定した原稿の直後の原稿から、前記判定部が次に前記特定原稿であると判定する原稿の直前の原稿まで、または、前記原稿載置台に載置された最終の原稿まで、当該原稿の読み取りに関する指示に示される読取設定で前記読取部に原稿を読み取らせて画像データを生成させる、画像読取装置。
【請求項２】
前記判定部は、前記読取部により読み取られた原稿に予め定められたパターン画像が印刷されているか否かを判定することで、前記特定原稿であるか否かの判定を行う、請求項１に記載の画像読取装置。
【請求項３】
前記動作制御部は、前記読取指示要求部が前記情報処理装置に対して前記原稿の読み取りに関する指示を要求してから予め定められた時間以内に、前記読取指示受付部が前記情報処理装置からの前記原稿の読み取りに関する指示を受け付けない場合に、前記原稿搬送部による原稿搬送動作および前記読取部による原稿読取動作を再開させる、請求項１に記載の画像読取装置。
【請求項４】
前記動作制御部は、前記読取指示受付部が前記原稿の読み取りに関する指示を受け付けることなく、前記原稿搬送部による原稿搬送動作および前記読取部による原稿読取動作を再開させた場合に、前記判定部が前記特定原稿であると判定した原稿の直後の原稿から、前記判定部が次に前記特定原稿であると判定する原稿の直前の原稿まで、または、前記原稿載置台に載置された最終の原稿まで、読み取り画質よりも読み取り速度を優先させた予め定められた読取設定で前記読取部に原稿を読み取らせて画像データを生成させ、当該生成させた画像データを記憶部から削除させる、請求項３に記載の画像読取装置。
【請求項５】
前記読取指示受付部は、前記原稿の読み取りに関する指示として、原稿の読み取り枚数の指定を受け付け、
前記動作制御部は、前記判定部が前記特定原稿であると判定した原稿の直後の原稿から、前記判定部が次に前記特定原稿であると判定する原稿の直前の原稿まで、または、前記原稿載置台に載置された最終の原稿までの原稿の枚数が、前記読取指示受付部が受け付けた前記原稿の読み取り枚数とは異なる枚数である場合に、前記読取部に前記原稿の読み取りに関する指示に基づく原稿読取動作を停止させる、請求項１に記載の画像読取装置。
【請求項６】
前記動作制御部が前記読取部に前記原稿の読み取りに関する指示に基づく原稿読取動作を停止させた場合に、その旨をユーザーに報知する報知動作を前記情報処理装置に行わせる指示を前記情報処理装置に送信する報知部を更に備える、請求項５に記載の画像読取装置。
【請求項７】
前記識別情報を受け付ける受付部と、
予め定められた認証データに基づきユーザーを認証する認証部と、
前記認証部による認証が成功した場合に、前記受付部が受け付けた識別情報が示された特定原稿を印刷する印刷部とを更に備える請求項１に記載の画像読取装置。
【発明の詳細な説明】
【技術分野】
【０００１】
本発明は画像読取装置に関し、特に、原稿載置台に載置された複数枚の原稿を読み取って画像データを生成する技術に関する。
【背景技術】
【０００２】
一般の画像読取装置では、複数の原稿の読み取りを同時に行えないため、既に原稿の読み取りが行われている場合には、その原稿の読み取りが終了するのを待って原稿の読み取り指示を入力する必要がある。原稿の読み取り指示は、画像読取装置に設けられた操作ボタン等を用いて入力するのが一般であるため、先に入力された原稿の読み取り指示が終了するまで画像読取装置の前で待機する必要があり煩わしい。このような煩わしさを解消するため、特許文献１には、読み取り対象の複数の原稿の間に挟み込まれたセパレート原稿を読み取る毎に、読み取った原稿の画像データをひとつのファイルにして保存する技術が開示されている。ユーザーはセパレート原稿を原稿の間に挟み込むことで他の原稿と区別してファイルに保存させることができるため、先に入力される原稿の読み取り指示が終了するまで画像読取装置の前で待機する必要がなくなる。
【先行技術文献】
【特許文献】
【０００３】
【特許文献１】特開２００９−８９２５４号公報
【発明の概要】
【発明が解決しようとする課題】
【０００４】
しかしながら、特許文献１に開示される技術では、予め定められた共通の読取設定で原稿を読み取ることができるものの、原稿の読み取りを行うユーザー毎に読取設定を個別に設定することができなかった。一般に、原稿の読み取りを行うユーザーによって所望する読取設定は異なるため、予め定められた共通の読取設定でしか原稿を読み取ることができないのではユーザー利便性に欠ける。
【０００５】
本発明は、上記の事情に鑑みなされたものであり、先に入力される原稿の読み取り指示が終了するまで画像読取装置の前で待機しなくとも、ユーザー所望の読取設定で原稿の読み取りを行うことを可能とすることを目的とする。
【課題を解決するための手段】
【０００６】
本発明の一局面にかかる画像読取装置は、原稿載置台に載置された複数枚の原稿を１枚ずつ搬送する原稿搬送部と、前記原稿搬送部により搬送された原稿を読み取って画像データを生成する読取部と、前記読取部により読み取られた原稿が、通信対象の情報処理装置をネットワーク上において特定するための識別情報が示された特定原稿であるか否かを判定する判定部と、前記原稿搬送部による原稿搬送動作および前記読取部による原稿読取動作を制御する動作制御部であって、前記判定部が前記読取部により読み取られた原稿が前記特定原稿であると判定した場合に、前記原稿搬送部による原稿搬送動作および前記読取部による原稿読取動作を停止させる動作制御部と、前記判定部が前記読取部により読み取られた原稿が前記特定原稿であると判定した場合に、当該特定原稿に示される識別情報により特定される情報処理装置との間で通信を行い、当該情報処理装置に対して原稿の読み取りに関する指示を要求する読取指示要求部と、前記情報処理装置から送信された前記原稿の読み取りに関する指示を受け付ける読取指示受付部とを備え、前記動作制御部は、前記読取指示受付部が前記原稿の読み取りに関する指示を受け付けた場合に、前記原稿搬送部による原稿搬送動作および前記読取部による原稿読取動作を再開させ、前記判定部が前記特定原稿であると判定した原稿の直後の原稿から、前記判定部が次に前記特定原稿であると判定する原稿の直前の原稿まで、または、前記原稿載置台に載置された最終の原稿まで、当該原稿の読み取りに関する指示に示される読取設定で前記読取部に原稿を読み取らせて画像データを生成させる、画像読取装置である。
【発明の効果】
【０００７】
上記の本発明によれば、先に入力される原稿の読み取り指示が終了するまで画像読取装置の前で待機しなくとも、ユーザー所望の読取設定で原稿の読み取りを行うことができる。
【図面の簡単な説明】
【０００８】
【図１】本発明の一実施形態にかかる画像読取装置の一例としての画像形成装置および情報処理装置の外観を示す斜視図である。
【図２】本発明の一実施形態にかかる画像読取部の構造を示す断面図である。
【図３】本発明の一実施形態にかかる画像形成装置および情報処理装置の内部構成を示すブロック図である。
【図４】スキャンセパレート原稿の内容の一例を示す図である。
【図５】原稿載置台に載置される原稿の内容の一例を示す図である。
【図６】設定画面の内容の一例を示す図である。
【図７】本発明の一実施形態にかかる画像形成装置によるスキャンセパレート原稿の発行処理の動作の流れを示すフローチャートである。
【図８】ユーザー認証画面の内容の一例を示す図である。
【図９】本発明の一実施形態にかかる画像形成装置および情報処理装置の原稿読み取り処理の動作の流れを示すフローチャートである。
【図１０】本発明の変形例１にかかる画像形成装置および情報処理装置の原稿読み取り処理の動作の流れを示すフローチャートである。
【図１１】報知画面の内容の一例を示す図である。
【図１２】本発明の変形例２にかかる画像形成装置および情報処理装置の原稿読み取り処理の動作の流れを示すフローチャートである。
【図１３】報知画面の内容の一例を示す図である。
【発明を実施するための形態】
【０００９】
以下、本発明の一実施形態にかかる画像読取装置について図面を参照して説明する。図１は、本発明の一実施形態にかかる画像読取装置の一例としての画像形成装置および情報処理装置の外観を示す斜視図である。図２は、本発明の一実施形態にかかる画像読取部の構造を示す断面図である。図３は、本発明の一実施形態にかかる画像形成装置および情報処理装置の内部構成を示すブロック図である。
【００１０】
画像形成装置１は、ファクシミリ通信機能、コピー機能、プリンター機能、およびスキャナー機能等の複数の機能を兼ね備えた複合機である。図１に示すように、画像形成装置１は、装置本体２と、装置本体２の上方に配置された画像読取部１０と、画像読取部１０と装置本体２との間に設けられた連結部３とから概略構成される。
【００１１】
画像読取部１０は、原稿搬送部６と、原稿を光学的に読み取る読取部７とを備えている。
【００１２】
原稿搬送部６は、原稿が載置される原稿載置台６１と、画像読み取り済みの原稿が排出される原稿排出部６６と、原稿搬送機構６５と、を備えている。原稿搬送機構６５は、給紙ローラー６１３、搬送ローラー６１５、分離コロ６１７、および排紙ローラー６１８を備えている。原稿搬送機構６５は、一対に配設された給紙ローラー６１３と分離コロ６１７とにより、原稿載置台６１に載置された複数の原稿Ｓを１枚ずつ繰り出し、当該繰り出した原稿Ｓを搬送ローラー６１５によりコンタクトガラス７１に向けて搬送する。
【００１３】
読取ユニット７２は、コンタクトガラス７１に搬送された原稿Ｓを光学的に読み取る。具体的には、読取ユニット７２は、例えば、赤、緑、青の３色のＬＥＤ（Light Emitting Diode）の光を切り替えながら原稿Ｓに投射し、原稿Ｓからの反射光をＣＭＯＳ（Complementary Metal Oxide Semiconductor）イメージセンサーにより受光する。ＣＭＯＳイメージセンサーは、上記の入射光を電気信号へ変換し画像データを取得する。当該画像データは、画像形成装置１に内蔵されたＡ／Ｄ変換部によってディジタル信号化された後、さらにシェーディング補正、ガンマ補正、色収差補正、ＭＴＦ（Modulation Transfer Function）補正およびスキャナー色補正等の様々な画像処理が施される。そして、当該画像処理により生成された画像データは、画像形成装置１に内蔵された画像メモリー２０や記憶部６０に記憶される。その後、画像読み取り済みの原稿Ｓは、排紙ローラー６１８により原稿排出部６６へ排出される。
【００１４】
画像メモリー２０は、画像読取部１０によって読み取られた画像データを一時的に記憶する領域である。
【００１５】
画像形成部３０は、画像メモリー２０に記憶されている画像データを読み出し、当該データを用いて給紙部４から供給される用紙に画像を形成（印刷）する。印刷済みの用紙は、排出トレイ５に排出される。
【００１６】
表示部４０は、画像形成装置１の前面側に配置され、液晶ディスプレイ（ＬＣＤ：Liquid Crystal Display）や有機ＥＬ（ＯＬＥＤ：Organic Light-Emitting Diode）ディスプレイを含んで構成される。表示部４０には、例えば、原稿読取処理の進行状況や原稿読取処理において発生したエラーの内容を報知するための報知画面等が表示される。
【００１７】
操作部５０は、例えば、印刷ジョブの実行を指示するためのスタートキー、メニュー画面を構成するＧＵＩに対して確定操作を行う決定キー（エンターキー）、数値入力を行うための数値入力キー等を備え、表示部４０に表示される画面に対する操作をユーザーから受け付ける。
【００１８】
記憶部６０は、ＨＤＤ（Hard Disk Drive）等の大容量の記憶装置である。記憶部６０には、画像読取部１０によって読み取られた画像データが読取設定で設定されたファイル形式で記憶される。
【００１９】
通信インターフェイス７０は、不図示のＬＡＮチップ等の通信モジュールを備える。画像形成装置１は、ネットワークを介して携帯端末やＰＣ等の情報処理装置２００と接続されている。通信インターフェイス７０は、後述する読取指示要求部１０４等による制御のもと、接続された情報処理装置２００との間でデータの送受信を行う。
【００２０】
画像形成装置１は、更に、制御ユニット１００を備えている。制御ユニット１００は、ＣＰＵ(Central Processing Unit)、ＲＡＭ（Random Access Memory）、及びＲＯＭ（Read Only Memory）等から構成される。制御ユニット１００は、上記のＲＯＭ又は記憶部６０に記憶された画像読取制御プログラム等の制御プログラムが上記のＣＰＵに実行されることにより、制御部１０１、動作制御部１０２、判定部１０３、読取指示要求部１０４、読取指示受付部１０５、報知部１０６、認証部１０７、および操作受付部１０８として機能する。なお、制御ユニット１００の上記の各構成は、前述の制御プログラムに基づく動作によらず、それぞれハード回路により構成されてもよい。
【００２１】
制御部１０１は、画像形成装置１の全体的な動作制御を司る。制御部１０１は、画像読取部１０、画像メモリー２０、画像形成部３０、表示部４０、操作部５０、記憶部６０、および通信インターフェイス７０等と接続されており、接続されている上記各機構の動作制御や、各機構との間での信号又はデータの送受信を行う。
【００２２】
動作制御部１０２は、原稿搬送部６による原稿搬送動作および読取部７による原稿読取動作を制御する機能を有する。また、動作制御部１０２は、画像形成部３０による画像形成動作を制御し、画像形成部３０に後述するスキャンセパレート原稿を印刷させる機能を有する。
【００２３】
判定部１０３は、読取部７により読み取られた原稿が、通信対象の情報処理装置２００をネットワーク上において特定するためのＭＡＣアドレス等の識別情報が示されたスキャンセパレート原稿（特定原稿）であるか否かを判定する機能を有する。図４は、スキャンセパレート原稿の内容の一例を示す図である。本図において、スキャンセパレート原稿Ｓ１には、上記の識別情報を示すバーコード画像Ｂおよび予め定められたパターン画像Ｐが印刷されている。判定部１０３は、読取部７により読み取られた原稿の画像データに対してパターンマッチング等の画像解析を行い、読取部７により読み取られた原稿にパターン画像Ｐが印刷されているか否かを判定する。判定部１０３は、パターン画像Ｐが印刷されている原稿をスキャンセパレート原稿であると判定し、パターン画像Ｐが印刷されていない原稿を通常の読み取り対象の原稿であると判定する。
【００２４】
図５は、原稿載置台６１に載置される原稿の内容の一例を示す図である。原稿の読み取りを行おうとして読み取り対象の原稿Ｓ２を原稿載置台６１に載置させようとしたときに、既に原稿載置台６１に他の原稿Ｓが載置されている場合がある。このような場合において、ユーザーは、スキャンセパレート原稿Ｓ１を用いて、読み取り対象の原稿Ｓ２を他の原稿と区別させることができる。すなわち、図５に示すように、ユーザーは、そのユーザーが用いる情報処理装置２００を特定するための識別情報が示されたスキャンセパレート原稿Ｓ１を読み取り対象の原稿Ｓ２の一番上に載せ、当該複数の原稿を原稿載置台６１に載置された原稿Ｓの一番下に挿入する。これにより、図５の下部に示される複数の原稿が原稿載置台６１に載置された状態となる。
【００２５】
動作制御部１０２は、読取部７がスキャンセパレート原稿Ｓ１を読み取る毎に、原稿搬送部６による原稿搬送動作および読取部７による原稿読取動作を一時的に停止させる。そして、動作制御部１０２は、後述の読取指示受付部１０５が原稿の読み取りに関する指示を受け付けた場合に、原稿搬送部６による原稿搬送動作および読取部７による原稿読取動作を再開させ、上記の指示に示される読取設定で読取部７に原稿を読み取らせて画像データを生成させる。
【００２６】
読取指示要求部１０４は、ネットワークに接続された情報処理装置２００に対して、原稿の読み取りに関する指示を要求する機能を有する。具体的には、読取指示要求部１０４は、判定部１０３が読取部７により読み取られた原稿がスキャンセパレート原稿であると判定した場合に、当該スキャンセパレート原稿から識別情報を取得する。そして、読取指示要求部１０４は、通信インターフェイス７０を介して取得した識別情報により特定される情報処理装置２００との間で通信を行い、情報処理装置２００に対して原稿の読み取りに関する指示を要求する制御信号を送信する。
【００２７】
上記の制御信号は、情報処理装置２００の制御ユニット２１０における制御部２１１により、通信インターフェイス２７０を介して受信される。表示制御部２１２は、受信した制御信号に基づき、表示部２４０に設定画面を表示させる。図６は、設定画面の内容の一例を示す図である。本図において、設定画面Ｄ１には、「原稿の読み取り画質」、「両面読み取り／片面読み取り」、「画像データのファイル形式」、「画像データのカラー選択」、「原稿の読み取り枚数」の５つの設定項目が表示されている。受付部２１３は、当該設定画面において操作部２５０等を用いて入力されるユーザー操作に基づき、原稿の読み取りに関する指示を受け付ける。制御部２１１は、通信インターフェイス２７０を介して、受付部２１３が受け付けた上記の指示を画像形成装置１に送信する。
【００２８】
読取指示受付部１０５は、通信インターフェイス７０を介して、情報処理装置２００から送信された上記の原稿の読み取りに関する指示を受け付ける機能を有する。
【００２９】
報知部１０６は、画像形成装置１における原稿読取動作等にエラーが生じた場合に、ユーザーに対してエラーメッセージ等を報知する機能を有する。
【００３０】
認証部１０７は、記憶部６０等に記憶された予め定められた認証データに基づき、ユーザーを認証する機能を有する。
【００３１】
操作受付部１０８は、操作部５０等を用いて入力されたユーザー操作を受け付ける機能を有する。
【００３２】
次に、上記の構成を備える画像形成装置１および情報処理装置２００の具体的な動作の流れについて説明する。まず、スキャンセパレート原稿の発行処理について説明する。図７は、画像形成装置１によるスキャンセパレート原稿の発行処理の動作の流れを示すフローチャートである。
【００３３】
画像形成装置１の動作制御部１０２は、画像形成装置１の動作モードがスキャンセパレート原稿印刷モードであるか否かを判定する（ステップＳ６０）。ここで、スキャンセパレート原稿印刷モードとは、スキャンセパレート原稿を印刷する動作モードであり、操作受付部１０８が操作部５０等を用いて予め定められたユーザー操作を受け付けた場合に、通常の動作モードから当該スキャンセパレート原稿印刷モードに移行する。
【００３４】
動作モードがスキャンセパレート原稿印刷モードである場合（ステップＳ６０においてＹＥＳ）、動作制御部１０２は、表示部４０にユーザー認証画面を表示させる（ステップＳ６１）。図８は、ユーザー認証画面の内容の一例を示す図である。本図において、ユーザー認証画面Ｄ２には、ユーザーの社員番号を入力する入力欄ｄ１と、パスワードを入力する入力欄ｄ２とが設けられている。記憶部６０には、スキャンセパレート原稿を発行することを許可する社員番号とパスワードとが認証データとして記憶されている。認証部１０７は、操作受付部１０８が当該ユーザー認証画面Ｄ２において受け付けた社員番号およびパスワードと、記憶部６０に記憶された社員番号およびパスワードとが一致するか否かを判定する。認証部１０７は、社員番号およびパスワードが一致する場合にユーザー認証が成功したことを判定する。
【００３５】
なお上記では、ユーザーの社員番号とパスワードを用いてユーザー認証を行う場合を説明したが、本発明は必ずしもこの場合に限定されない。画像形成装置には、ＲＦＩＤ（Radio Frequency IDentification）技術等によりカード情報を読み取るカードリーダーが設けられている場合がある。この場合には、ユーザーが所持する社員証等のカードを当該カードリーダーにより読み取り、読み取ったカード情報を用いてユーザー認証を行ってもよい。
【００３６】
ユーザー認証に失敗した場合（ステップＳ６２においてＮＯ）、スキャンセパレート原稿の発行処理を終了する。一方、ユーザー認証に成功した場合（ステップＳ６２においてＹＥＳ）、操作受付部１０８は、操作部５０等を用いて入力されるユーザー操作に基づき、ＭＡＣアドレス等の識別情報を受け付ける（ステップＳ６３）。
【００３７】
その後、動作制御部１０２は、ステップＳ６３の処理で受け付けた識別情報が示されるスキャンセパレート原稿を画像形成部３０に印刷させる（ステップＳ６４）。図４に示す例では、動作制御部１０２は、ステップＳ６３の処理で受け付けた識別情報をバーコード画像に変換する処理を行う。
【００３８】
続いて、原稿読み取り処理について説明する。図９は、画像形成装置１および情報処理装置２００の原稿読み取り処理の動作の流れを示すフローチャートである。
【００３９】
画像形成装置１の動作制御部１０２は、操作受付部１０８が操作部５０等を用いて入力されたユーザー操作に基づき、原稿の読取開始指示を受け付けたか否かを判定する（ステップＳ１１）。後述するスキャンセパレート原稿を読み取った際における読み取り指示は、情報処理装置２００において入力されるのに対して、原稿の読取開始指示は画像形成装置１において入力される。
【００４０】
操作受付部１０８が原稿の読取開始指示を受け付けた場合（ステップＳ１１においてＹＥＳ）、動作制御部１０２は、ステップＳ１１の処理で受け付けた読取開始指示に示される読取設定で、原稿搬送部６に原稿搬送動作を実行させ、読取部７に原稿読取動作を実行させる（ステップＳ１２）。すなわち、動作制御部１０２は、原稿搬送部６に原稿載置台６１に載置された複数枚の原稿を１枚ずつ搬送させ、読取部７に原稿搬送部６により１枚ずつ搬送された原稿を読み取らせて画像データを生成させる。動作制御部１０２は、読取部７に生成させた画像データを画像メモリー２０に記憶させる。
【００４１】
その後、判定部１０３は、ステップＳ１２の処理で読取部７により読み取られた原稿が、スキャンセパレート原稿であるか否かを判定する（ステップＳ１３）。
【００４２】
原稿がスキャンセパレート原稿でない場合（ステップＳ１３においてＮＯ）、ステップＳ１２の処理に戻り、動作制御部１０２は、原稿搬送動作および原稿読取動作を実行させる。
【００４３】
一方、原稿がスキャンセパレート原稿である場合（ステップＳ１３においてＹＥＳ）、動作制御部１０２は、原稿搬送部６による原稿搬送動作および読取部７による原稿読取動作を停止させる（ステップＳ１４）。
【００４４】
そして、動作制御部１０２は、ステップＳ１２の処理で読み取った原稿載置台６１に載置された最初の原稿からスキャンセパレート原稿の直前の原稿までの画像データを１ファイルにして記憶部６０に保存させる（ステップＳ１５）。この際、動作制御部１０２は、読取開始指示に示される読取設定のファイル形式で画像データを記憶部６０に保存させる。
【００４５】
ステップＳ１５の処理後、読取指示要求部１０４は、スキャンセパレート原稿から識別情報を取得し、取得した識別情報により特定される情報処理装置２００との間で通信を行い、情報処理装置２００に対して原稿の読み取りに関する指示を要求する制御信号を送信する（ステップＳ１６）。
【００４６】
情報処理装置２００の制御部２１１は、画像形成装置１から送信された読取指示を要求する制御信号を通信インターフェイス２７０を介して受信する（ステップＳ３１）。そして、表示制御部２１２は、受信した制御信号に基づき表示部２４０に設定画面を表示させる（ステップＳ３２）。
【００４７】
受付部２１３は、ステップＳ３２の処理で表示された設定画面において入力される原稿の読み取りに関する指示を受け付ける（ステップＳ３３）。そして、制御部２１１は、通信インターフェイス２７０を介して、受付部２１３が受け付けた上記の指示を画像形成装置１に送信する（ステップＳ３４）。
【００４８】
画像形成装置１の読取指示受付部１０５は、通信インターフェイス７０を介して、情報処理装置２００から送信された上記の原稿の読み取りに関する指示を受け付ける（ステップＳ１７）。
【００４９】
そして、動作制御部１０２は、ステップＳ１７の処理で受け付けた原稿の読み取りに関する指示に示される読取設定で、原稿搬送部６に原稿搬送動作を実行させ、読取部７に原稿読取動作を実行させる（ステップＳ１８）。なお、原稿の読み取りに関する指示に読取設定が設定されていない設定項目が存在する場合、動作制御部１０２は、当該設定項目について記憶部６０等に記憶されたデフォルトの設定値を用いて、原稿搬送部６に原稿搬送動作を実行させ、読取部７に原稿読取動作を実行させる。
【００５０】
その後、判定部１０３は、ステップＳ１８の処理で読取部７により読み取られた原稿が、原稿載置台６１に載置された最終原稿であるか否かを判定する（ステップＳ１９）。判定部１０３は、例えば、原稿搬送部６において給紙ローラー６１３や分離コロ６１７が回動されたが、読取部７が原稿の画像を読み取ることができない場合に、その直前の原稿搬送動作により搬送された原稿が最終原稿であると判定する。
【００５１】
原稿が最終原稿である場合（ステップＳ１９においてＹＥＳ）、動作制御部１０２は、原稿搬送部６による原稿搬送動作および読取部７による原稿読取動作を停止させる（ステップＳ２１）。
【００５２】
そして、動作制御部１０２は、ステップＳ１３の処理で判定されたスキャンセパレート原稿の直後の原稿から、原稿載置台６１に載置された最終の原稿までの原稿の画像データを１ファイルにして記憶部６０に保存させる（ステップＳ２２）。この際、動作制御部１０２は、ステップＳ１７の処理で受け付けた読取指示に示される読取設定のファイル形式で画像データを記憶部６０に保存させる。
【００５３】
一方、原稿が最終原稿でない場合（ステップＳ１９においてＮＯ）、判定部１０３は、ステップＳ１８の処理で読取部７により読み取られた原稿が、スキャンセパレート原稿であるか否かを判定する（ステップＳ２０）。
【００５４】
原稿がスキャンセパレート原稿でない場合（ステップＳ２０においてＮＯ）、ステップＳ１８の処理に戻り、動作制御部１０２は、原稿搬送動作および原稿読取動作を実行させる。
【００５５】
原稿がスキャンセパレート原稿である場合（ステップＳ２１においてＹＥＳ）、ステップＳ１４の処理に戻り、動作制御部１０２は、原稿搬送部６による原稿搬送動作および読取部７による原稿読取動作を停止させる。この後、ステップＳ１５の処理では、動作制御部１０２は、ステップＳ１３の処理で判定されたスキャンセパレート原稿の直後の原稿から、ステップＳ２０の処理で判定されたスキャンセパレート原稿の直後の原稿までの画像データを１ファイルにして記憶部６０に保存させる。
【００５６】
以上のように本発明の一実施形態にかかる画像形成装置１によれば、既に他の原稿が原稿載置台６１に載置されており、原稿の読み取りが行われている場合において、ユーザーは、スキャンセパレート原稿を読み取り対象の原稿の一番上に載せ、当該複数の原稿を原稿載置台６１に載置された原稿の一番下に挿入するという作業を行う。こうすることで、画像形成装置１がスキャンセパレート原稿を読み取ったタイミングで、ユーザーが所有する情報処理装置２００に原稿の読み取りに関する指示が要求され、ユーザーが原稿の読み取りに関する指示を設定することができるため、先に入力される原稿の読み取り指示が終了するまで画像読取装置の前で待機しなくとも、ユーザー所望の読取設定で原稿の読み取りを行うことができる。
【００５７】
なお、本発明は、上記の実施の形態の構成に限られず種々の変形が可能である。
【００５８】
＜変形例１＞
上記の実施の形態にかかる画像形成装置１では、動作制御部１０２が、読取指示要求部１０４が情報処理装置２００に対して原稿の読み取りに関する指示を要求した後、読取指示受付部１０５が情報処理装置２００からの原稿の読み取りに関する指示を受け付けるまで、原稿搬送部６による原稿搬送動作および読取部７による原稿読取動作を停止させたままであった。
【００５９】
これに対して、変形例１にかかる画像形成装置１では、動作制御部１０２が、読取指示要求部１０４が情報処理装置２００に対して原稿の読み取りに関する指示を要求してから予め定められた時間以内に、読取指示受付部１０５が情報処理装置２００からの原稿の読み取りに関する指示を受け付けない場合に、原稿搬送部６による原稿搬送動作および読取部７による原稿読取動作を再開させる。
【００６０】
図１０は、変形例１にかかる画像形成装置１および情報処理装置２００の動作の流れを示すフローチャートである。なお、図９に示す処理と同じ処理については同符号を付し説明を省略する。
【００６１】
ステップＳ１６の処理後、動作制御部１０２は、読取指示要求部１０４が情報処理装置２００に対して原稿の読み取りに関する指示を要求してから、読取指示受付部１０５が情報処理装置２００からの原稿の読み取りに関する指示を受け付けるまでに、予め定められた時間が経過したか否かを判定する（ステップＳ４０）。
【００６２】
予め定められた時間が経過した場合（ステップＳ４０においてＹＥＳ）、動作制御部１０２は、ステップＳ１３の処理で判定されたスキャンセパレート原稿の直後の原稿から、原稿載置台６１に載置された最終の原稿まで、または、次のセパレート原稿の直前の原稿まで原稿を読み飛ばす（ステップＳ４１〜ステップＳ４５）。
【００６３】
ここで、原稿を読み飛ばすとは、原稿を読み取り画質よりも読み取り速度を優先させた予め定められた高速読取設定で読み取ることをいう。読み取った原稿の画像データは、原稿がスキャンセパレート原稿であるか否かを判定した後に、１ファイルにして記憶部６０に記憶させるのではなく、画像メモリー２０から削除させる。この処理では、原稿がスキャンセパレート原稿であるか否かを判定できればよいため、読み取り画質よりも読み取り速度を優先させて処理速度を高めている。
【００６４】
ステップＳ４１の処理では、動作制御部１０２は、高速読み取り設定で、原稿搬送部６に原稿搬送動作を実行させ、読取部７に原稿読取動作を実行させる。
【００６５】
ステップＳ４２の処理では、判定部１０３は、ステップＳ４１の処理で読取部７により読み取られた原稿が、原稿載置台６１に載置された最終原稿であるか否かを判定する。
【００６６】
原稿が最終原稿である場合（ステップＳ４２においてＹＥＳ）、動作制御部１０２は、原稿搬送部６による原稿搬送動作および読取部７による原稿読取動作を停止させる（ステップＳ４４）。そして、動作制御部１０２は、ステップＳ４１の処理で読み取った画像データを画像メモリー２０から削除させて（ステップＳ４５）、原稿の読取処理を終了する。
【００６７】
原稿が最終原稿でない場合（ステップＳ４２においてＮＯ）、判定部１０３は、ステップＳ４１の処理で読取部７により読み取られた原稿が、スキャンセパレート原稿であるか否かを判定する（ステップＳ４３）。
【００６８】
原稿がスキャンセパレート原稿でない場合（ステップＳ４３においてＮＯ）、ステップＳ４１の処理に戻り、動作制御部１０２は、原稿搬送動作および原稿読取動作を実行させる。
【００６９】
原稿がスキャンセパレート原稿である場合（ステップＳ４３においてＹＥＳ）、動作制御部１０２は、原稿搬送部６による原稿搬送動作および読取部７による原稿読取動作を停止させ（ステップＳ４６）、ステップＳ４１の処理で読み取った画像データを画像メモリー２０から削除させ（ステップＳ４７）、ステップＳ１６の処理に戻る。
【００７０】
以上のように変形例１にかかる画像形成装置１によれば、あるユーザーが原稿の読取指示を入力しないことにより、他のユーザーの原稿の読み取りが長期間実行されない事態を回避することができる。
【００７１】
なお、動作制御部１０２が上記の原稿の読み飛ばしを行った場合に、報知部１０６が、その旨をユーザーに報知する報知動作を行わせる指示を含む制御信号を、通信インターフェイス７０を介して、スキャンセパレート原稿に示される識別情報により特定される情報処理装置２００に送信してもよい。情報処理装置２００の表示制御部２１２は、当該制御信号を受信すると、当該制御信号に応じて例えば図１１に示す報知画面Ｄ３を表示部２４０に表示させる。これにより、画像形成装置１は、ユーザーに原稿読取動作がキャンセルされたことを報知することができる。
【００７２】
＜変形例２＞
変形例２にかかる画像形成装置１では、読取指示受付部１０５が、原稿の読み取りに関する指示として、原稿の読み取り枚数の指定を受け付ける。そして、動作制御部１０２は、判定部１０３がスキャンセパレート原稿であると判定した原稿の直後の原稿から、判定部１０３が次にスキャンセパレート原稿であると判定する原稿の直前の原稿まで、または、原稿載置台６１に載置された最終の原稿までの原稿の枚数が、読取指示受付部１０５が受け付けた原稿の読み取り枚数とは異なる枚数である場合に、読取部７に原稿の読み取りに関する指示に基づく原稿読取動作を停止させる。
【００７３】
図１２は、変形例２にかかる画像形成装置１および情報処理装置２００の動作の流れを示すフローチャートである。なお、図９に示す処理と同じ処理については同符号を付し説明を省略する。
【００７４】
ステップＳ２０の処理後、動作制御部１０２は、読み取った原稿の枚数がステップＳ１７の処理で受け付けた読取指示に示される枚数と一致するか否かを判定する（ステップＳ５０）。
【００７５】
枚数が一致する場合（ステップＳ５０においてＹＥＳ）、ステップＳ１４の処理に戻る。一方、枚数が一致しない場合（ステップＳ５０においてＮＯ）、動作制御部１０２は、読取部７に原稿の読み取りに関する指示に基づく原稿読取動作を停止させる（ステップＳ５１およびステップＳ５２）。
【００７６】
すなわち、動作制御部１０２は、原稿搬送部６による原稿搬送動作および読取部７による原稿読取動作を停止させ（ステップＳ５１）、ステップＳ１８の処理で読み取った画像データを画像メモリー２０から削除させる（ステップＳ５２）。その後、動作制御部１０２はステップＳ１６の処理に戻る。
【００７７】
また、ステップＳ２１の処理後、動作制御部１０２は、読み取った原稿の枚数がステップＳ１７の処理で受け付けた読取指示に示される枚数と一致するか否かを判定する（ステップＳ５３）。
【００７８】
枚数が一致する場合（ステップＳ５３においてＹＥＳ）、動作制御部１０２は、ステップＳ２２の処理で、ステップＳ１３の処理で判定されたスキャンセパレート原稿の直後の原稿から、原稿載置台６１に載置された最終の原稿までの原稿の画像データを１ファイルにして記憶部６０に保存させる。
【００７９】
一方、枚数が一致しない場合（ステップＳ５３においてＮＯ）、動作制御部１０２は、ステップＳ１８の処理で読み取った画像データを画像メモリー２０から削除させ（ステップＳ５３）、原稿の読取処理を終了する。
【００８０】
ユーザーが指定した読み取り枚数とは異なる枚数の原稿が原稿載置台６１に載置されている場合、誤った原稿が載置されている可能性が高い。変形例２にかかる画像形成装置１によれば、このような誤った原稿が載置されている可能性が高い場合において、原稿の読取動作を停止させることができる。
【００８１】
なお、動作制御部１０２が上記の原稿の読取動作の停止を行った場合に、報知部１０６が、その旨をユーザーに報知する報知動作を行わせる指示を含む制御信号を、通信インターフェイス７０を介して、スキャンセパレート原稿に示される識別情報により特定される情報処理装置２００に送信してもよい。情報処理装置２００の表示制御部２１２は、当該制御信号を受信すると、当該制御信号に応じて例えば図１２に示す報知画面Ｄ４を表示部２４０に表示させる。これにより、画像形成装置１は、ユーザーに対して誤った原稿が載置されている可能性があることを報知することができる。
【００８２】
＜その他の変形例＞
上記の実施の形態および上記の各変形例をそれぞれ組み合わせるとしてもよい。
【００８３】
また、上記の実施の形態で説明した制御プログラムをコンピューター読み取り可能な非一時的な記録媒体、例えば、ハードディスク、ＣＤ−ＲＯＭ、ＤＶＤ−ＲＯＭ、半導体メモリーなどに記録されたものとしてもよい。この場合、当該制御プログラムを記録したコンピューター読み取り可能な非一時的な記録媒体が、本発明の一実施形態となる。
【符号の説明】
【００８４】
１     画像形成装置
６     原稿搬送部
７     読取部
１０   画像読取部
２０   画像メモリー
３０   画像形成部
４０   表示部
５０   操作部
６０   記憶部
６１   原稿載置台
７０   通信インターフェイス
１００ 制御ユニット
１０１ 制御部
１０２ 動作制御部
１０３ 判定部
１０４ 読取指示要求部
１０５ 読取指示受付部
１０６ 報知部
１０７ 認証部
１０８ 操作受付部
２００ 情報処理装置
【図１】
2016012753.tif 000003
【図２】
2016012753.tif 000004
【図３】
2016012753.tif 000005
【図４】
2016012753.tif 000006
【図５】
2016012753.tif 000007
【図６】
2016012753.tif 000008
【図７】
2016012753.tif 000009
【図８】
2016012753.tif 000010
【図９】
2016012753.tif 000011
【図１０】
2016012753.tif 000012
【図１１】
2016012753.tif 000013
【図１２】
2016012753.tif 000014
【図１３】
2016012753.tif 000015